(57)【要約】【課題】  液圧ユニット（ＨＵ）に内蔵されたヨーレイトセンサ等の車両挙動センサの出力信号にローパスフィルタ処理を施して振動ノイズを効果的に除去すること。【解決手段】  この車両の運動制御装置は、ＨＵ内蔵のヨーレイトセンサの出力信号（アナログ信号）をハードウエアからなるローパスフィルタ（ハードＬＰＦ）でフィルタ処理した後のアナログ信号をＡＤ変換し、同ＡＤ変換した後のデジタル信号をソフトウエアからなるローパスフィルタ（ソフトＬＰＦ）で更にフィルタ処理した後のデジタル信号を用いて車両の運動制御を実行する。上記ハードＬＰＦは、車両の運動制御に使用されるべき周波数帯域（制御信号域）の上限値f1よりも高い値f2をカットオフ周波数としサンプリング周波数の１／２（値f3）以上の周波数帯域のノイズ成分を除去する特性を有し、上記ソフトＬＰＦは、上記値f1をカットオフ周波数とする減衰特性の大きい特性を有している。【選択図】  図４
2006213261.tif 000002
【特許請求の範囲】
【請求項１】
車両の車輪に付与される制動力を制御するための液圧機器を搭載した液圧ユニットと、
前記液圧ユニットに一体的に配設されていて、前記車両の挙動を表すアナログ信号を出力する車両挙動センサと、
を備えた車両の運動制御装置に適用される車両挙動センサ信号のフィルタ処理装置であって、
前記車両挙動センサが出力するアナログ信号をローパスフィルタ処理する、ハードウエアにより構成されるハードローパスフィルタと、
前記ハードローパスフィルタ通過後のアナログ信号を所定のサンプリング周波数でＡＤ変換した後のデジタル信号をローパスフィルタ処理する、ソフトウエアにより構成されるソフトローパスフィルタと、
を備え、
前記ハードローパスフィルタは、前記車両挙動センサが出力するアナログ信号における前記車両の運動制御に使用されるべき周波数帯域の上限値よりも高い値をカットオフ周波数とするとともに、少なくとも前記サンプリング周波数の１／２以上の周波数帯域のノイズ成分を除去する特性を有し、
前記ソフトローパスフィルタは、前記車両の運動制御に使用されるべき周波数帯域の上限値近傍の値をカットオフ周波数とする特性を有することを特徴とする車両挙動センサ信号のフィルタ処理装置。
【請求項２】
車両の車輪に付与される制動力を制御するための液圧機器を搭載した液圧ユニットと、
前記液圧ユニットに一体的に配設されていて、前記車両の挙動を表すアナログ信号を出力する車両挙動センサと、
前記車両挙動センサが出力するアナログ信号をローパスフィルタ処理する、ハードウエアにより構成されるハードローパスフィルタと、
前記ハードローパスフィルタ通過後のアナログ信号を所定のサンプリング周波数でＡＤ変換した後のデジタル信号をローパスフィルタ処理する、ソフトウエアにより構成されるソフトローパスフィルタと、
前記ソフトローパスフィルタ通過後のデジタル信号に基づいて前記車両の運動制御を行うために前記液圧機器を制御する電気制御装置と、
を備えた車両の運動制御装置であって、
前記ハードローパスフィルタは、前記車両挙動センサが出力するアナログ信号における前記車両の運動制御に使用されるべき周波数帯域の上限値よりも高い値をカットオフ周波数とするとともに、少なくとも前記サンプリング周波数の１／２以上の周波数帯域のノイズ成分を除去する特性を有し、
前記ソフトローパスフィルタは、前記車両の運動制御に使用されるべき周波数帯域の上限値近傍の値をカットオフ周波数とする特性を有することを特徴とする車両の運動制御装置。
【請求項３】
請求項２に記載の車両の運動制御装置において、
前記液圧ユニットは、ブラケット、及び／又はマウントを介して前記車両の車体に取り付けられる構造を有していて、
前記ブラケット、及び／又はマウントは、前記車体に対する前記液圧ユニットの共振周波数が前記ソフトローパスフィルタにより除去される信号成分の周波数帯域内の値となるように設計されていることを特徴とする車両の運動制御装置。
【発明の詳細な説明】
【技術分野】
【０００１】
本発明は、車両の車輪に付与される制動力を制御するための液圧機器を搭載した液圧ユニットに一体的に配設された車両挙動センサにより出力される車両の挙動を表す信号のフィルタ処理を行う車両挙動センサ信号のフィルタ処理装置、及び、そのフィルタ処理装置を備えた車両の運動制御装置に関する。
【背景技術】
【０００２】
従来より、旋回時における車両の走行安定性を維持するため車両安定化制御を実行する車両の運動制御装置が広く知られている。具体的には、この種の運動制御装置は、例えば、ステアリング角度（及び、車体速度、車両の諸元等）に基づいて算出される車両のヨーレイトから、ヨーレイトセンサ（或いは、横加速度センサ）から得られる車両のヨーレイト（以下、「実ヨーレイト」と称呼する。）を減じた値（以下、「ヨーレイト偏差」と称呼する。）が所定のしきい値を超えたとき、車両がアンダーステア状態にあると判定する。
【０００３】
そして、この種の装置は、車両がアンダーステア状態にあると判定した場合、一般に、車両のヨーイングの方向と同一方向のヨーイングモーメント（アンダーステア抑制モーメント）を同車両に発生させるため所定の車輪にブレーキ液圧による所定の制動力を付与するようになっている。これにより、アンダーステア抑制制御が実行されて、ヨーレイト偏差が上記しきい値以下となるように制御される。
【０００４】
係る装置は、一般に、車輪に付与される制動力を制御するために必要な複数の電磁弁、液圧ポンプ等の複数の液圧機器を搭載した液圧ユニット（ハイドロリックユニット）と、複数の液圧機器を制御するための電気制御装置（ＥＣＵ）とが一体化されてなる統合ユニットと、同統合ユニットとハーネス、コネクタ等を用いて接続された同統合ユニットとは別体の上記ヨーレイトセンサ等の各種センサとから構成されていた。この場合、統合ユニットは、所謂ＣＡＮ通信により各種センサからの信号を受け取ることで上記車両安定化制御を実行するようになっていた。
【０００５】
ところが、近年、ヨーレイトセンサ（或いは、横加速度センサ）を上記統合ユニットに内蔵する技術が開発されてきている（例えば、下記特許文献１を参照）。これによれば、上記ハーネス、コネクタを省略できることに加え、上記ＣＡＮ通信のために必要であったヨーレイトセンサ内部のＣＰＵ、ＣＡＮドライバ等の電子部品等をも省略することができるから、装置全体の製造コストを低減することができる。
【特許文献１】特表２００４−５０６５７２号公報
【０００６】
ところで、上記統合ユニット（具体的には、液圧ユニット）には、それ自身に搭載されている液圧ポンプ、電磁弁等の液圧機器の作動により振動が発生する。加えて、統合ユニットは一般に、車両の車体（ボディ）にブラケット、マウント等からなる弾性構造体を介して固定されるので、路面等から受ける車体側の振動が共振により統合ユニットに増幅されて伝達され得た。
【０００７】
従って、ヨーレイトセンサが統合ユニットに内蔵されると、統合ユニットが受ける上記各種振動がヨーレイトセンサに直接伝達され得、これにより、ヨーレイトセンサが受ける振動が増大する。ヨーレイトセンサが受ける振動が増大すると、実ヨーレイトの値が真のヨーレイトの値に対して振動的になり易く（振動ノイズが重畳され易く）、この結果、上記ヨーレイト偏差の値も振動的になることで車両安定化制御が適切に実行されなくなる可能性が高くなる。
【０００８】
以上のことから、上記文献に記載の装置は、統合ユニットに内蔵されたヨーレイトセンサから得られる実ヨーレイトの値そのものに代えて同実ヨーレイトの値にローパスフィルタ処理を施した値に基づいてヨーレイト偏差の値を計算するようになっている。これにより、実ヨーレイトの値（従って、ヨーレイト偏差の値）から振動ノイズが除去され得、車両安定化制御が適切に実行され得ることが期待される。
【０００９】
しかしながら、上記文献には、係るローパスフィルタ処理の具体的な手法等については、開示も示唆もなされていない。従って、係る統合ユニット（或いは、液圧ユニット）に一体的に配設されたヨーレイトセンサ等の車両挙動センサの出力信号にローパスフィルタ処理を施して上記振動ノイズを効果的に除去する具体的な技術の開発が望まれているところである。
【発明の開示】
【００１０】
本発明は係る問題に対処するためになされたものであって、その目的は、液圧ユニットに一体的に配設された車両挙動センサの出力信号にローパスフィルタ処理を施して振動ノイズを効果的に除去し得る車両挙動センサ信号のフィルタ処理装置を提供することにある。
【００１１】
本発明に係る車両挙動センサ信号のフィルタ処理装置は、車両の車輪に付与される制動力を制御するための液圧機器を搭載した液圧ユニットと、前記液圧ユニットに一体的に配設されていて前記車両の挙動を表すアナログ信号を出力する車両挙動センサとを備えた車両の運動制御装置に適用される。
【００１２】
ここで、前記液圧ユニット（ハイドロリックユニット）は、前記液圧機器を制御するための電気制御装置（ＥＣＵ）と別体であってもよいし、同電気制御装置（ＥＣＵ）と一体化されて統合ユニットを構成してもよい。
【００１３】
また、「液圧機器」とは、例えば、運転者によるブレーキ操作にかかわらず自動的にブレーキ液圧を発生させるための液圧ポンプ（この液圧ポンプを駆動するためのモータを含む。）、及び各車輪のホイールシリンダ液圧を個別に調整するための複数の電磁弁等である。「車両挙動センサ」とは、例えば、車両のヨーレイトを表すアナログ信号を出力するヨーレイトセンサ、車両の横加速度を表すアナログ信号を出力する横加速度センサ等である。
【００１４】
一般に、ローパスフィルタには、連続的なアナログ信号を入力するとともに同入力したアナログ信号にローパスフィルタ処理を施した後のアナログ信号を出力する、ハードウエア（例えば、ＲＣ回路等）により構成される周知のハードローパスフィルタ（以下、「ハードＬＰＦ」と記載する。）と、離散的なデジタル信号を入力するとともに同入力したデジタル信号にローパスフィルタ処理を施した後のデジタル信号を出力する、ソフトウエア（具体的には、プログラム）により構成される周知のソフトローパスフィルタ（以下、「ソフトＬＰＦ」と記載する。）とが存在する。
【００１５】
また、電気制御装置（具体的には、マイクロコンピュータ（ＣＰＵ））は、各種センサが出力する連続的なアナログ値（アナログ信号）をＡＤコンバータによりＡＤ変換して得られる離散的なデジタル値（デジタル信号）に基づいて種々の計算等を行うようになっている。
【００１６】
従って、マイクロコンピュータに使用されるセンサ出力（アナログ信号）に基づくデジタル信号であってローパスフィルタ処理がなされているものを取得する方法としては、ハードＬＰＦを用いる方法（即ち、センサ出力（アナログ信号）そのものを上記ハードＬＰＦを用いてローパスフィルタ処理した後のアナログ信号をＡＤ変換する方法）、ソフトＬＰＦを用いる方法（即ち、センサ出力（アナログ信号）そのものをＡＤ変換して得られるデジタル信号を上記ソフトＬＰＦを用いてローパスフィルタ処理する方法）、並びに、ハードＬＰＦとソフトＬＰＦとを共に用いる方法が考えられる。
【００１７】
ここで、ソフトＬＰＦを使用してカットオフ周波数近傍よりも高い周波数帯域におけるゲインの減衰勾配（以下、単に「減衰勾配」とも称呼する。）の大きい特性を有するローパスフィルタを作製することは容易である。これに対し、ハードＬＰＦを使用して減衰勾配の大きい特性を有するローパスフィルタを作製することは一般に非常に困難である。
【００１８】
他方、上述した車両挙動センサの出力信号に重畳される振動ノイズを効果的に除去するためには、同出力信号における車両の運動制御に使用されるべき信号成分と、振動ノイズ成分とを明確に分ける必要がある。このためには、車両の運動制御に使用されるべき周波数帯域（以下、「制御信号域」と称呼する。）の上限値よりも高い周波数帯域におけるゲインの減衰勾配が大きいローパスフィルタを使用する必要がある。
【００１９】
以上のことから、上述した車両挙動センサの出力信号に重畳される振動ノイズを効果的に除去するためには、ハードＬＰＦよりもソフトＬＰＦを用いることが好ましく、従って、ソフトＬＰＦのみを用いることが考えられる。
【００２０】
ここで、ソフトＬＰＦのみを用いることは、ローパスフィルタ処理が施されていない車両挙動センサ出力（アナログ信号）そのものをＡＤ変換することを意味する。このことは、ＡＤ変換前のアナログ信号においてサンプリング周波数の１／２を超える周波数成分（具体的には、振動ノイズ成分）が含まれ得ることを意味する。
【００２１】
このように、ＡＤ変換前のアナログ信号においてサンプリング周波数の１／２を超える周波数成分が含まれる場合、後に詳述するように、標本化定理（Sampling Theorem）に照らしてＡＤ変換後のデジタル信号、ひいては、ソフトＬＰＦ通過後のデジタル信号（即ち、車両の運動制御に使用される信号）がＡＤ変換前のアナログ信号（従って、車両挙動センサ出力）を正確に表し得ない信号となり得る（問題点１）。
【００２２】
更には、この場合、後に詳述するように、ソフトＬＰＦの特性に起因して、上述したサンプリング周波数の１／２を超える周波数成分（振動ノイズ成分）がソフトＬＰＦ通過後のデジタル信号（車両の運動制御に使用される信号）に残存する可能性がある（問題点２）。
【００２３】
従って、上述した車両挙動センサの出力信号に重畳される振動ノイズを効果的に除去するためには、車両挙動センサ出力（アナログ信号）からサンプリング周波数の１／２を超える周波数成分が除去された後のアナログ信号をＡＤ変換して得られるデジタル信号をソフトＬＰＦを用いてローパスフィルタ処理する必要がある。
【００２４】
係る知見に基づき、本発明に係る車両挙動センサ信号のフィルタ処理装置は、前記車両挙動センサが出力するアナログ信号をローパスフィルタ処理する、ハードウエアにより構成されるハードＬＰＦと、前記ハードローパスフィルタ通過後のアナログ信号を所定のサンプリング周波数でＡＤ変換した後のデジタル信号をローパスフィルタ処理する、ソフトウエアにより構成されるソフトＬＰＦとを備える。
【００２５】
そして、この装置の特徴は、前記ハードＬＰＦとして、前記車両挙動センサが出力するアナログ信号における制御信号域の上限値よりも高い値をカットオフ周波数とするとともに、少なくとも前記サンプリング周波数の１／２以上の周波数帯域のノイズ成分を除去する特性を有するものを使用し、前記ソフトＬＰＦとして、制御信号域の上限値近傍の値をカットオフ周波数とする特性を有するものを使用することにある。このソフトＬＰＦの減衰勾配は、前記ハードＬＰＦの減衰勾配よりも大きい。なお、ここにおいて、「除去する」とは、ローパスフィルタにおけるゲインが、「０」ではないが車両の運動制御に全く影響を与えない程度に十分に小さいことを意味する。
【００２６】
これによれば、前記ハードＬＰＦのカットオフ周波数が、制御信号域の上限値よりも高い値に設定されているから、ハードＬＰＦ通過後のアナログ信号において、車両の運動制御に使用されるべき制御信号域の成分がそのまま確保され得る。また、ハードＬＰＦが、少なくともサンプリング周波数の１／２以上の周波数帯域を「除去」する特性を有するから、「ＡＤ変換前のアナログ信号においてサンプリング周波数の１／２を超える周波数成分が含まれること」に起因する上述した問題点１，２が発生することがない。
【００２７】
更には、ソフトＬＰＦのカットオフ周波数が、制御信号域の上限値近傍の値に設定されているから、このソフトＬＰＦとして減衰勾配の大きいものを使用することにより、車両挙動センサの出力信号における車両の運動制御に使用されるべき信号成分と、振動ノイズ成分とを明確に分けることができる。
【００２８】
従って、本発明に係る車両挙動センサ信号のフィルタ処理装置によれば、液圧ユニットに一体的に配設された車両挙動センサの出力信号に重畳される振動ノイズを効果的に除去することができる。そして、このような特性を有するハードＬＰＦとソフトＬＰＦとを通過した後のデジタル信号を車両の運動制御に使用すれば、振動ノイズが効果的に除去された後の車両挙動センサ出力に基づいて車両安定化制御が適切に実行され得る。
【００２９】
即ち、本発明に係る車両の運動制御装置は、前記液圧ユニットと、前記液圧ユニットに一体的に配設された車両挙動センサと、上述した本発明に係る車両挙動センサ信号のフィルタ処理装置と、前記ソフトＬＰＦ通過後のデジタル信号に基づいて前記車両の運動制御を行うために前記液圧機器を制御する電気制御装置（ＥＣＵ）とから構成される。
【００３０】
ここにおいて、上述したように、前記液圧ユニットと前記電気制御装置とは一体であってもよい（統合ユニットを構成していてもよい）。また、前記ソフトＬＰＦは、前記電気制御装置（或いは、統合ユニット）に内蔵されていてもよい。また、ハードＬＰＦは、電気制御装置、液圧ユニット（或いは、統合ユニット）に内蔵されていてもよい。
【００３１】
また、上述した本発明に係る車両の運動制御装置において、前記液圧ユニット（或いは、統合ユニット）が、ブラケット、及び／又はマウントを介して前記車両の車体に取り付けられる構造を有している場合、前記ブラケット、及び／又はマウントは、前記車体に対する前記液圧ユニット（或いは、統合ユニット）の共振周波数が前記ソフトローパスフィルタにより除去される信号成分の周波数帯域内の値となるように設計されていることが好適である。
【００３２】
これによれば、路面からの入力等により車体側が上記共振周波数近傍の周波数で振動することで同車体側の振動が共振により増幅されて液圧ユニット側に伝達される場合であっても、係る共振に起因して増幅される車両挙動センサ出力信号に重畳される振動ノイズ成分は、ソフトＬＰＦにより確実に「除去」され得る。
【００３３】
従って、車両の運動制御に使用される信号であるソフトＬＰＦ通過後のデジタル信号において係る共振に起因して増幅される振動ノイズ成分が重畳することがないから、振動ノイズがより一層効果的に除去された後の車両挙動センサ出力に基づいて車両安定化制御が実行され得る。
【発明を実施するための最良の形態】
【００３４】
以下、本発明による車両挙動センサ信号のフィルタ処理装置を含んだ運動制御装置の実施形態について図面を参照しつつ説明する。図１は、本発明の実施形態に係る運動制御装置１０を搭載した車両の概略構成を示している。この車両は、前輪駆動方式の車両である。
【００３５】
この運動制御装置１０は、駆動力を発生するとともに同駆動力を駆動輪FL,FRにそれぞれ伝達する駆動力伝達機構部２０と、車輪に運転者によるブレーキ操作に応じたブレーキ液圧を発生するブレーキ液圧発生部３０と、液圧ユニット４０（ハイドロリックユニット。以下、単に「ＨＵ４０」と称呼する。）と電気制御装置５０（以下、単に「ＥＣＵ５０」と称呼する。）とが一体化されてなる統合ユニットＩと、を含んで構成されている。
【００３６】
この統合ユニットＩは、図２に模式的に示したように、車両の車体に弾性部材（例えば、金属等）からなるブラケットＢＲと、弾性部材（例えば、ゴム等）からなるマウントＭＴを介して固定されている。従って、統合ユニットＩは、係るブラケットＢＲとマウントＭＴからなる弾性構造体を介して車体に固定されている。
【００３７】
再び、図１を参照すると、駆動力伝達機構部２０は、駆動力を発生するエンジン２１と、同エンジン２１の吸気管２１ａ内に配置されるとともに吸気通路の開口断面積を可変とするスロットル弁THの開度を制御するスロットル弁アクチュエータ２２と、エンジン２１の図示しない吸気ポート近傍に燃料を噴射するインジェクタを含む燃料噴射装置２３を備える。
【００３８】
また、駆動力伝達機構部２０は、エンジン２１の出力軸に入力軸が接続された変速機２４と、変速機２４の出力軸と連結されエンジン２１の駆動力を適宜分配して前輪FL,FRにそれぞれ伝達する前輪側ディファレンシャル２５とを含んで構成されている。
【００３９】
ブレーキ液圧発生部３０は、ブレーキペダルＢＰの作動により応動する図示しない周知のバキュームブースタと、同バキュームブースタに連結された図示しないマスタシリンダとから構成されていて、ブレーキ液圧発生部３０は、ブレーキペダルＢＰの操作力に応じたマスタシリンダ液圧を発生するようになっている。これらマスタシリンダ及びバキュームブースタの構成及び作動は周知であるので、ここではそれらの詳細な説明を省略する。
【００４０】
ＨＵ４０は、運転者によるブレーキペダルＢＰの操作にかかわらず、自動的にブレーキ液圧を発生させるための液圧ポンプ、この液圧ポンプを駆動するためのモータ、及び各車輪のホイールシリンダ液圧を個別に調整するための複数の電磁弁等を含んで構成されている。
【００４１】
ＨＵ４０は、全ての電磁弁が非励磁状態にあるときブレーキペダルＢＰの操作力に応じたブレーキ液圧（即ち、マスタシリンダ液圧）をホイールシリンダW**にそれぞれ供給できるようになっている。
【００４２】
なお、各種変数等の末尾に付された「**」は、同各種変数等が各車輪FR等のいずれに関するものであるかを示すために同各種変数等の末尾に付される「fl」，「fr」等の包括表記であって、例えば、ホイールシリンダW**は、左前輪用ホイールシリンダWfl,
右前輪用ホイールシリンダWfr, 左後輪用ホイールシリンダWrl, 右後輪用ホイールシリンダWrrを包括的に示している。
【００４３】
他方、この状態において、ＥＣＵ５０からの指示により、モータ（従って、液圧ポンプ）を駆動するとともに、所定の電磁弁を制御することで、ＨＵ４０は、運転者によるブレーキペダルＢＰの操作にかかわらず、各車輪に付与される制動力を車輪毎に個別に調整できるようになっている。これにより、ＨＵ４０は、ＥＣＵ５０からの指示により、後述する車両安定化制御（具体的には、オーバーステア−アンダーステア抑制制御（ＯＳ−ＵＳ抑制制御））を達成できるようになっている。
【００４４】
ＥＣＵ５０は、互いにバスで接続されたＣＰＵ５１、ＣＰＵ５１が実行するルーチン（プログラム）、テーブル（ルックアップテーブル、マップ）、定数等を予め記憶したＲＯＭ５２、ＣＰＵ５１が必要に応じてデータを一時的に格納するＲＡＭ５３、電源が投入された状態でデータを格納するとともに同格納したデータを電源が遮断されている間も保持するバックアップＲＡＭ５４、及びＡＤコンバータを含むインターフェース５５等からなるマイクロコンピュータである。
【００４５】
インターフェース５５は、統合ユニットＩと別体の車輪速度センサ６１**、アクセル開度センサ６２、及びステアリング角度センサ６３と、所定のハーネス、コネクタ等を介してＣＡＮ通信可能に接続されている。また、インターフェース５５は、統合ユニットＩに内蔵されたヨーレイトセンサ６４とハーネス、コネクタ等を用いることなく電気的に直接接続されている。
【００４６】
車輪速度センサ６１fl，６１fr，６１rl及び６１rrは、電磁ピックアップ式のセンサであって、車輪FL，FR，RL及びRRの車輪速度に応じた周波数を有する信号をそれぞれ出力するようになっている。アクセル開度センサ６２は、運転者により操作されるアクセルペダルＡＰの操作量を検出し、同アクセルペダルＡＰの操作量Accpを示す信号を出力するようになっている。ステアリング角度センサ６３は、ステアリングＳＴの中立位置からの回転角度を検出し、実ステアリング角度θsを示す信号を出力するようになっている。ヨーレイトセンサ６４は、車両のヨーレイトを検出し、実ヨーレイトアナログ値Yranaを示す信号（車両の挙動を表すアナログ信号）を出力するようになっている。
【００４７】
ここで、実ステアリング角度θsは、ステアリングＳＴが中立位置にあるときに「０」となり、同中立位置からステアリングＳＴを（運転者から見て）反時計まわりの方向へ回転させたときに正の値、同中立位置から同ステアリングＳＴを時計まわりの方向へ回転させたときに負の値となるように設定されている。また、実ヨーレイトアナログ値Yranaは、車両が左方向（車両上方から見て反時計まわりの方向）へ旋回しているときに正の値、車両が右方向へ旋回しているときに負の値となるように設定されている。
【００４８】
そして、インターフェース５５は、センサ６１〜６４からの各アナログ信号を上記ＡＤコンバータによりそれぞれＡＤ変換した後の各デジタル信号をＣＰＵ５１に供給するとともに、同ＣＰＵ５１の指示に応じてＨＵ４０の各電磁弁及びモータ、スロットル弁アクチュエータ２２、及び燃料噴射装置２３に駆動信号を送出するようになっている。
【００４９】
これにより、スロットル弁アクチュエータ２２は、原則的に、スロットル弁THの開度がアクセルペダルＡＰの操作量Accpに応じた開度になるように同スロットル弁THを駆動するとともに、燃料噴射装置２３は、筒内（シリンダ内）に吸入された空気量である筒内吸入空気量に対して所定の目標空燃比（例えば、理論空燃比）を得るために必要な量の燃料を噴射するようになっている。
【００５０】
（ＯＳ−ＵＳ抑制制御の概要）
次に、上記構成を有する本発明の実施形態に係る運動制御装置１０（以下、「本装置」と云う。）が実行するオーバーステア−アンダーステア抑制制御（ＯＳ−ＵＳ抑制制御）の概要について説明する。ＵＳ抑制制御は、車両がアンダーステア状態にあるとき同アンダーステア状態を抑制して旋回トレース性能を維持する制御である。
【００５１】
先ず、舵角ヨーレイトYrtを車両の運動モデルから導かれる理論式を基礎とする下記(1)式に従って定義する。この舵角ヨーレイトYrtは、実ステアリング角度θsに基づいて得られる車両のヨーレイトである。
【００５２】
Yrt＝(Vso・θs)/(n・L)・(1/(1+Kh・Vso2))  ・・・(1)
【００５３】
上記(1)式において、Vsoは後述するように設定される推定車体速度であり、Lは車両のホイールベースであり、Khはスタビリティファクタであり、nはステアリングギヤ比である。ホイールベースL、スタビリティファクタKh、及びステアリングギヤ比nは、車両の諸元に従って決定される定数である。
【００５４】
舵角ヨーレイトYrtは、車両が左方向へ旋回しているとき（実ステアリング角度θsが正の値のとき）に正の値、車両が右方向へ旋回しているとき（実ステアリング角度θsが負の値のとき）に負の値となるように設定される。なお、この理論式は、ステアリング角度及び車体速度が共に一定である状態で車両が旋回するとき（定常円旋回時）におけるヨーレイトの理論値を算出する公知の式である。
【００５５】
また、ヨーレイト偏差ΔYrを下記(2)式に従って定義する。即ち、このヨーレイト偏差ΔYrは、上記舵角ヨーレイトYrtの絶対値からヨーレイトセンサ６４により得られる実ヨーレイトアナログ値Yrana（実際には、後述する実ヨーレイトソフトＬＰＦ通過デジタル値Yrsfildigi）の絶対値を減じた値である。
【００５６】
ΔYr＝|Yrt|−|Yrana|  ・・・(2)
【００５７】
上記(2)式により定義されるヨーレイト偏差ΔYrの値が正の値であることは、車両の真のヨーレイトが舵角ヨーレイトYrtと等しい値となっていると仮定した場合よりも旋回半径が大きくなる状態にあることを意味する。従って、ヨーレイト偏差ΔYrが或るしきい値Yrth（＞０）よりも大きいとき、車両が「アンダーステア状態」にあると判定することができる。
【００５８】
以上のことから、本装置は、上記ヨーレイト偏差ΔYr（実際には、後述するように、上記(2)式に代えて下記(3)式に基づくヨーレイト偏差ΔYr）がしきい値Yrthを超えたとき車両が「アンダーステア状態」にあると判定し、アンダーステア状態を抑制するためのＵＳ抑制制御を実行する。具体的には、本装置は、ヨーレイト偏差ΔYrと制御量Gstrとの関係を規定する予め作製されている所定のテーブルと、ヨーレイト偏差ΔYrとに基づいて制御量Gstrを求める。
【００５９】
そして、本装置は、上記求めた制御量Gstr（≠０）に応じたブレーキ液圧による制動力を旋回方向内側の後輪に付与する。これにより、車両に対してヨーイング方向と同一方向のヨーイングモーメントが強制的に発生する。従って、実ヨーレイトの絶対値が大きくなり、実ヨーレイトが舵角ヨーレイトYrtに近づくように（即ち、ヨーレイト偏差ΔYrがしきい値Yrth以下となるように）制御される。この結果、車両の旋回トレース性能が維持され得る。
【００６０】
他方、上記(2)式により定義されるヨーレイト偏差ΔYrの値が負の値であることは、車両の真のヨーレイトが舵角ヨーレイトYrtと等しい値となっていると仮定した場合よりも旋回半径が小さくなる状態にあることを意味する。従って、ヨーレイト偏差ΔYrが値「−Yrth」（＜０）よりも小さいとき、車両が「オーバーステア状態」にあると判定することができる。
【００６１】
以上のことから、本装置は、上記ヨーレイト偏差ΔYr（実際には、後述するように、上記(2)式に代えて下記(3)式に基づくヨーレイト偏差ΔYr）が値「−Yrth」よりも小さいとき車両が「オーバーステア状態」にあると判定し、オーバーステア状態を抑制するためのＯＳ抑制制御を実行する。
【００６２】
具体的には、本装置は、上述したＵＳ抑制制御の場合と同様に制御量Gstrを求め、上記求めた制御量Gstr（≠０）に応じたブレーキ液圧による制動力を旋回方向外側の前輪に付与する。これにより、車両に対してヨーイング方向と反対方向のヨーイングモーメントが強制的に発生する。従って、実ヨーレイトの絶対値が小さくなり、実ヨーレイトが舵角ヨーレイトYrtに近づくように制御される。この結果、車両の旋回における安定性が維持され得る。
【００６３】
更に、本装置は、車両が「アンダーステア状態」、又は「オーバーステア状態」にあると判定している場合、上記ブレーキ液圧による制動力の付与に加えて、エンジン２１の出力（具体的には、スロットル弁開度）をアクセル操作量Accpに応じた値から所定量だけ低下させるエンジン出力低減制御を実行する。これにより、車体速度が低下することで車両に働く遠心力が小さくなり、これによっても車両の旋回トレース性能、又は旋回における安定性が維持され得る。以上が、ＯＳ−ＵＳ抑制制御の概要である。
【００６４】
（ヨーレイトセンサ出力に重畳する振動ノイズによる影響を回避したヨーレイト偏差の算出）
上述のごとく、統合ユニットＩは、ブラケットＢＲとマウントＭＴからなる弾性構造体を介して車体に固定されている。従って、路面からの入力等により車体側が、車体に対する統合ユニットＩの共振周波数近傍の周波数で振動すると車体側の振動が共振により増幅されて統合ユニットＩに伝達され得る。また、統合ユニットＩには、それ自身に搭載されている液圧ポンプ（モータ）、複数の電磁弁等（液圧機器）の作動によっても振動が発生する。
【００６５】
従って、統合ユニットＩに内蔵されているヨーレイトセンサ６４にも統合ユニットＩが受ける上記各種振動が伝達され得、この結果、ヨーレイトセンサ６４の出力信号である実ヨーレイトアナログ値Yranaを表すアナログ信号に振動ノイズが重畳される。
【００６６】
この結果、上記(2)式で定義されるヨーレイト偏差ΔYrの値も振動的になるから、上記(2)式で定義されるヨーレイト偏差ΔYrの値を上記オーバーステア状態、及びアンダーステア状態の判定（即ち、ＯＳ−ＵＳ抑制制御の開始判定）に使用することは好ましくない。
【００６７】
そこで、本装置は、係る実ヨーレイトアナログ値Yranaに重畳されている振動ノイズを除去するため、実ヨーレイトアナログ値Yranaにローパスフィルタ処理を施すようになっている。図３は、本装置（車両挙動センサ信号のフィルタ処理装置）によるヨーレイトセンサ６４の出力信号についてのフィルタ処理の流れを示す。また、図４は、本装置が使用するハードＬＰＦとソフトＬＰＦについてのそれぞれの周波数−ゲイン特性を示す。
【００６８】
図３に示すように、先ず、ヨーレイトセンサ６４の出力信号、即ち、実ヨーレイトアナログ値Yranaを表すアナログ信号は、ハードＬＰＦに入力される。このハードＬＰＦは、ＥＣＵ５０のインターフェース５５内に内蔵された周知のＲＣ回路等からなる。図４に示すように、このハードＬＰＦのカットオフ周波数は、車両の運動制御に使用されるべき周波数帯域（即ち、上記「制御信号域」）の上限値f1（例えば、１０Hz）よりも高い値f2（例えば、２０Hz）に設定されている。
【００６９】
また、このハードＬＰＦは、減衰勾配が比較的小さい特性を有していて、ＥＣＵ５０のインターフェース５５内のＡＤコンバータにおけるサンプリング周波数fsampleの１／２である値f3：（１／２）・fsample以上の周波数帯域にてゲインがminとなる特性を有する。例えば、ＡＤコンバータにおけるサンプリングタイムＴが６msecであるとすると、値f3＝（１／２）・fsample＝１／（２Ｔ）＝８３．３Hzとなる。なお、「min」とは、ゲインが「０」ではないが車両の運動制御に全く影響を与えない程度に十分に小さいことを意味する（以下も同様である。）。
【００７０】
これにより、ハードＬＰＦにより出力される実ヨーレイトハードＬＰＦ通過アナログ値Yrhfilanaを表すアナログ信号においては、実ヨーレイトアナログ値Yranaにおける制御信号域の成分（特に、周波数f1以下の成分）のゲインがそのまま確保され得る。また、実ヨーレイトアナログ値Yranaにおける値f3：（１／２）・fsample以上の周波数帯域のノイズ成分が「除去」される。即ち、値f3＝（１／２）・fsample以上の周波数帯域のノイズ成分のゲインが車両の運動制御に全く影響を与えない程度に小さくされる。
【００７１】
この実ヨーレイトハードＬＰＦ通過アナログ値Yrhfilanaを表すアナログ信号は、インターフェース５５に内蔵されている上記ＡＤコンバータに入力される。このＡＤコンバータは、サンプリングタイムＴ（即ち、サンプリング周波数fsample（＝１／Ｔ））で実ヨーレイトハードＬＰＦ通過アナログ値Yrhfilanaを表すアナログ信号をサンプリングして実ヨーレイトデジタル値Yrdigiを表すデジタル信号を出力する。
【００７２】
この実ヨーレイトデジタル値Yrdigiを表すデジタル信号は、ソフトＬＰＦに入力される。このソフトＬＰＦは、ＥＣＵ５０のＲＯＭ５２内に格納されたプログラムにより構成されている。図４に示すように、このソフトＬＰＦのカットオフ周波数は、上記「制御信号域」の上限値f1に設定されている。
【００７３】
また、このソフトＬＰＦは、減衰勾配が大きい特性を有していて、上記値f2（＞f1）以上の周波数帯域にてゲインが「min」となる特性を有する。これにより、ソフトＬＰＦにより出力される実ヨーレイトソフトＬＰＦ通過デジタル値Yrsfildigiを表すデジタル信号においては、実ヨーレイトデジタル値Yrdigiにおける制御信号域の成分（周波数f1以下の成分）のゲインがそのまま確保され得る。また、値f2以上の周波数帯域のノイズ成分が「除去」される。以下、このハードＬＰＦとソフトＬＰＦのそれぞれの役割について付言する。
【００７４】
<ハードＬＰＦの役割>
ハードＬＰＦの役割は、値f3＝（１／２）・fsample以上の周波数帯域のノイズ成分を「除去」することにある。即ち、ヨーレイトセンサ６４の出力信号（即ち、実ヨーレイトアナログ値Yranaを表すアナログ信号）には、一般に、値f3＝（１／２）・fsample以上の周波数帯域の信号成分（具体的には、振動ノイズ成分）が含まれている。従って、係るハードＬＰＦを介さずに実ヨーレイトアナログ値Yranaを表すアナログ信号をそのままＡＤコンバータに入力すると、ＡＤ変換前のアナログ信号においてサンプリング周波数fsampleの１／２を超える周波数成分が含まれ得ることになる。
【００７５】
ここで、標本化定理（Sampling Theorem）によれば、サンプリング周波数がＡＤ変換前のアナログ信号における最大周波数の２倍以上であれば、ＡＤ変換後のデジタル信号からＡＤ変換前のアナログ信号を復元することができる。換言すれば、ＡＤ変換前のアナログ信号においてサンプリング周波数の１／２を超える周波数成分が含まれると、ＡＤ変換後のデジタル信号からＡＤ変換前のアナログ信号を復元することができず、従って、ＡＤ変換後のデジタル信号は、ＡＤ変換前のアナログ信号を正確に表し得ない信号となる。
【００７６】
以上のことから、上記ハードＬＰＦを介さずに実ヨーレイトアナログ値Yranaを表すアナログ信号をそのままＡＤコンバータに入力すると、実ヨーレイトデジタル値Yrdigiを表すデジタル信号、ひいては、実ヨーレイトソフトＬＰＦ通過デジタル値Yrsfildigiを表すデジタル信号がＡＤ変換前の実ヨーレイトアナログ値Yranaを表すアナログ信号（従って、車両挙動センサ出力）を正確に表し得ない信号となり得る（問題点１）。
【００７７】
加えて、ソフトＬＰＦは、一般に、サンプリング周波数の１／２を超える周波数帯域では、周波数の増加につれてゲインが増大していく特性を有する。この結果、係るハードＬＰＦを介さずに実ヨーレイトアナログ値Yranaを表すアナログ信号をそのままＡＤコンバータに入力すると（従って、ＡＤ変換前のアナログ信号においてサンプリング周波数fsampleの１／２を超える周波数成分が含まれると）、上記サンプリング周波数fsampleの１／２を超える周波数成分（即ち、振動ノイズ成分）であってゲインの大きいものが実ヨーレイトソフトＬＰＦ通過デジタル値Yrsfildigiを表すデジタル信号に残存する可能性がある（問題点２）。
【００７８】
以上の知見に基づき、本装置は、上記ハードＬＰＦを通過した後のアナログ信号（Yrhfilana）をＡＤコンバータに入力する。これにより、ＡＤコンバータに入力されるアナログ信号（Yrhfilana）からサンプリング周波数fsampleの１／２を超える周波数成分を「除去」することができ、上記問題点１、及び問題点２が解消され得る。
【００７９】
<ソフトＬＰＦの役割>
ソフトＬＰＦの役割は、ヨーレイトセンサ６４の出力信号（実ヨーレイトアナログ値Yranaを表すアナログ信号）における車両の運動制御に使用されるべき信号成分（即ち、制御信号域内（周波数が値f1以下）の信号成分）と、振動ノイズ成分（周波数が値f1より大きい信号成分）とを明確に分けることにある。
【００８０】
このように、制御信号域内の信号成分と、振動ノイズ成分（周波数が値f1より大きい信号成分）とを明確に分けるためには、図４に示した特性を有するソフトＬＰＦのように、カットオフ周波数を値f1とするとともに減衰勾配の大きいローパスフィルタを使用する必要がある。
【００８１】
ここで、図４に示したソフトＬＰＦのような減衰勾配の大きい特性を有するローパスフィルタは、ソフトＬＰＦを使用すれば容易に作製され得る。一方、ハードＬＰＦを使用して図４に示したソフトＬＰＦのような減衰勾配の大きい特性を有するローパスフィルタすることは非常に困難である。
【００８２】
以上のことから、本装置は、図４に示した特性を有するソフトＬＰＦを使用し、図３に示したように、上記ソフトＬＰＦを通過した後のデジタル信号（実ヨーレイトソフトＬＰＦ通過デジタル値Yrsfildigi）を上述したＯＳ−ＵＳ抑制制御に使用する。
【００８３】
即ち、本装置は、ＯＳ−ＵＳ抑制制御の開始判定に使用するヨーレイト偏差ΔYrを、上記(2)式の代わりに下記(3)式に従って算出する。このように、上記ハードＬＰＦとソフトＬＰＦとを通過した後のデジタル信号（Yrsfildigi）をＯＳ−ＵＳ抑制制御に使用すれば、振動ノイズが効果的に除去された後のヨーレイトセンサ出力に基づいてＯＳ−ＵＳ抑制制御が適切に実行され得る。
【００８４】
ΔYr＝|Yrt|−|Yrsfildigi|  ・・・(3)
【００８５】
加えて、本装置では、統合ユニットＩの車体に対する共振周波数fcが上記値f2より大きい値（即ち、上記ソフトＬＰＦにより「除去」され得る信号成分の周波数帯域内）となるように、図２に示したブラケットＢＲとマウントＭＴの材質・形状等とが設計されている。
【００８６】
これにより、上記共振周波数fc近傍の周波数で車体側が振動することにより同車体側の振動が統合ユニットＩ側（従って、ヨーレイトセンサ６４）に共振により増幅されて伝達されても、ヨーレイトセンサ６４の出力信号（Yrana）に重畳される振動ノイズ成分であって係る共振に起因して増幅され得るものは、ソフトＬＰＦにより確実に「除去」され得る。
【００８７】
従って、上記ＯＳ−ＵＳ抑制制御に使用される信号である実ヨーレイトソフトＬＰＦ通過デジタル値Yrsfildigiを表すデジタル信号において係る共振に起因して増幅される振動ノイズ成分が重畳することがない。よって、振動ノイズがより一層効果的に除去された後のヨーレイトセンサ出力に基づいてＯＳ−ＵＳ抑制制御が実行され得る。
【００８８】
（実際の作動）
次に、以上のように構成された本発明の実施形態に係る運動制御装置１０の実際の作動について、ＥＣＵ５０のＣＰＵ５１が実行するルーチンをフローチャートにより示した図５〜図７を参照しながら説明する。
【００８９】
ＣＰＵ５１は、図５に示した車輪速度等の算出を行うルーチンを所定時間（実行間隔時間Δｔ。例えば、６msec）の経過毎に繰り返し実行している。従って、所定のタイミングになると、ＣＰＵ５１はステップ５００から処理を開始し、ステップ５０５に進んで、車輪**の現時点での車輪速度（車輪**の外周の速度）Vw**をそれぞれ算出する。具体的には、ＣＰＵ５１は車輪速度センサ６１**の出力値の変動周波数に基づいて車輪速度Vw**をそれぞれ算出する。
【００９０】
次いで、ＣＰＵ５１はステップ５１０に進み、アクセル開度センサ６２から得られるアクセルペダル操作量Accpが「０」よりも大きいか否か（即ち、車両が駆動状態にあるか制動状態にあるか）を判定し、「Ｙｅｓ」と判定する場合（駆動状態にある場合）、ステップ５１５に進んで車輪速度Vw**のうちの最小値を推定車体速度Vsoとして算出する。一方、ＣＰＵ５１は「Ｎｏ」と判定する場合（制動状態にある場合）、ステップ５２０に進んで車輪速度Vw**のうちの最大値を推定車体速度Vsoとして算出する。
【００９１】
次いで、ＣＰＵ５１はステップ５２５に進み、上記ＡＤコンバータによりＡＤ変換されたデジタル値である実ヨーレイトデジタル値YrdigiをＲＯＭ５２に内蔵された上記ソフトＬＰＦでローパスフィルタ処理して実ヨーレイトソフトＬＰＦ通過デジタル値Yrsfildigiを取得する。なお、上述したように、実ヨーレイトデジタル値Yrdigiは、上記ハードＬＰＦを既に通過した後の値であるから、実ヨーレイトソフトＬＰＦ通過デジタル値Yrsfildigiは、上記ハードＬＰＦと上記ソフトＬＰＦとを共に通過した後の値となる。
【００９２】
次に、ＣＰＵ５１はステップ５３０に進んで、上記ステップ５１５、或いはステップ５２０にて算出された推定車体速度Vsoと、ステアリング角度センサ６３から得られるステアリング角度θsと、上記(1)式とに基づいて舵角ヨーレイトYrtを算出する。
【００９３】
続いて、ＣＰＵ５１はステップ５３５に進み、上記求めた舵角ヨーレイトYrtと、上記求めた実ヨーレイトソフトＬＰＦ通過デジタル値Yrsfildigiと、上記(3)式とに基づいてヨーレイト偏差ΔYrを算出した後、ステップ５９５に進んで本ルーチンを一旦終了する。以降も、ＣＰＵ５１は本ルーチンを実行間隔時間Δｔの経過毎に繰り返し実行することで各種値を逐次更新していく。
【００９４】
また、ＣＰＵ５１は、図６に示したＯＳ−ＵＳ抑制制御用の目標液圧の設定を行うルーチンを所定時間（例えば、６msec）の経過毎に繰り返し実行している。従って、所定のタイミングになると、ＣＰＵ５１はステップ６００から処理を開始し、ステップ６０５に進んで、先のステップ５３５にて計算されているヨーレイト偏差の絶対値｜ΔYr｜がしきい値Yrthよりも大きいか否かを判定し、「Ｎｏ」と判定する場合（即ち、車両がオーバーステア状態でもアンダーステア状態でもないとき）、ステップ６１０に進んで、総ての車輪についてのＵＳ抑制制御用の目標液圧Pwt**を「０」に設定した後、ステップ６９５に直ちに進んで本ルーチンを一旦終了する。
【００９５】
いま、ヨーレイト偏差の絶対値｜ΔYr｜がしきい値Yrthよりも大きいものとすると（即ち、車両がオーバーステア状態かアンダーステア状態の何れかにあるものとすると）、ＣＰＵ５１はステップ６０５の判定にて「Ｙｅｓ」と判定してステップ６１５に進んで、ヨーレイト偏差ΔYrの値と、図８に示したヨーレイト偏差（の絶対値）｜ΔYr｜と制御量Gstrとの関係を規定するＲＯＭ５２に記憶されているテーブルMapGstrとに基づいて制御量Gstrを求める。これにより、ヨーレイト偏差の絶対値｜ΔYr｜がしきい値Yrthよりも大きい場合において、｜ΔYr｜が大きくなるほど制御量Gstr（＞０）が大きくなるように設定される。
【００９６】
続いて、ＣＰＵ５１はステップ６２０に進み、ヨーレイト偏差ΔYrが正の値であるか否か（即ち、アンダーステア状態かオーバーステア状態か）を判定する。いま、ヨーレイト偏差ΔYrが正の値（ΔYr＞Yrth）であるものとすると（即ち、車両がアンダーステア状態にあるものとすると）、ＣＰＵ５１はステップ６２０にて「Ｙｅｓ」と判定してステップ６２５に進み、先のステップ５２５にて取得されている実ヨーレイトソフトＬＰＦ通過デジタル値Yrsfildigiが正の値であるか否か（即ち、旋回方向が左方向か右方向か）を判定する。
【００９７】
ＣＰＵ５１は車両が左方向に旋回している場合、ステップ６２５にて「Ｙｅｓ」と判定してステップ６３０に進み、旋回方向内側の後輪に対応する左後輪RLについての目標液圧Pwtrlを、上記求めた制御量Gstrにアンダーステア抑制制御用係数Kus（正の定数）を乗じた値に設定し、残りの３輪についての目標液圧Pwt**を「０」に設定した後、ステップ６９５に進んで本ルーチンを一旦終了する。
【００９８】
一方、ＣＰＵ５１は車両が右方向に旋回している場合、ステップ６２５にて「Ｎｏ」と判定してステップ６３５に進み、旋回方向内側の後輪に対応する右後輪RRについての目標液圧Pwtrrを、上記制御量Gstrに上記アンダーステア抑制制御用係数Kusを乗じた値に設定し、残りの３輪についての目標液圧Pwt**を「０」に設定する。これにより、旋回方向内側の後輪に対応する車輪についての目標液圧Pwt**はヨーレイト偏差ΔYrに応じた値（＞０）に設定される。
【００９９】
一方、ヨーレイト偏差ΔYrが負の値（ΔYr＜−Yrth）であるものとすると（即ち、車両がオーバーステア状態にあるものとすると）、ＣＰＵ５１はステップ６２０にて「Ｎｏ」と判定してステップ６４０に進み、先のステップ６２５と同様、実ヨーレイトソフトＬＰＦ通過デジタル値Yrsfildigiが正の値であるか否かを判定する。
【０１００】
ＣＰＵ５１は車両が左方向に旋回している場合、ステップ６４０にて「Ｙｅｓ」と判定してステップ６４５に進み、旋回方向外側の前輪に対応する右前輪FRについての目標液圧Pwtfrを、上記求めた制御量Gstrにオーバーステア抑制制御用係数Kos（正の定数）を乗じた値に設定し、残りの３輪についての目標液圧Pwt**を「０」に設定した後、ステップ６９５に進んで本ルーチンを一旦終了する。
【０１０１】
一方、ＣＰＵ５１は車両が右方向に旋回している場合、ステップ６４０にて「Ｎｏ」と判定してステップ６５０に進み、旋回方向外側の前輪に対応する左前輪FLについての目標液圧Pwtflを、上記制御量Gstrに上記オーバーステア抑制制御用係数Kosを乗じた値に設定し、残りの３輪についての目標液圧Pwt**を「０」に設定する。これにより、旋回方向外側の前輪に対応する車輪についての目標液圧Pwt**はヨーレイト偏差ΔYrに応じた値（＞０）に設定される。
【０１０２】
また、ＣＰＵ５１は、図７に示したＯＳ−ＵＳ抑制制御を実行するためのルーチンを所定時間（例えば、６msec）の経過毎に繰り返し実行している。従って、所定のタイミングになると、ＣＰＵ５１はステップ７００から処理を開始し、ステップ７０５に進み、総ての車輪の目標液圧Pwt**が「０」であるか否かを判定し、「Ｙｅｓ」と判定する場合、ステップ７１０に進んでＨＵ４０内の総ての電磁弁を非励磁状態とするとともにＨＵ４０内のモータ（液圧ポンプ）を非駆動状態とする指示を行い、ステップ７９５に直ちに進んで本ルーチンを一旦終了する。
【０１０３】
一方、ＣＰＵ５１はステップ７０５にて「Ｎｏ」と判定する場合、ステップ７１５に進んで、車輪**のホイールシリンダ圧Pw**がそれぞれ上記設定された目標液圧Pwt**になるように、ＨＵ４０の電磁弁、モータへの制御指示を行う。これにより、ブレーキ液圧による制動力の付与に基づくＯＳ−ＵＳ抑制制御が達成される。
【０１０４】
続いて、ＣＰＵ５１はステップ７２０に進んで、先のステップ６１５にて求められている制御量Gstrに応じた分だけエンジン２１の出力を低下する指示を行う。これにより、ＯＳ−ＵＳ抑制制御に基づく上記エンジン出力低減制御が実行される。そして、ＣＰＵ５１はステップ７９５に進んで本ルーチンを一旦終了する。
【０１０５】
以上、説明したように、本発明の実施形態に係る車両挙動センサ信号のフィルタ処理装置（車両の運動制御装置）によれば、ＨＵ４０（統合ユニットＩ）に内蔵されているヨーレイトセンサ６４の出力信号（実ヨーレイトアナログ値Yranaを表すアナログ信号）をハードＬＰＦでローパスフィルタ処理した後のアナログ信号を、サンプリング周波数fsampleでＡＤ変換し、同ＡＤ変換した後のデジタル信号（実ヨーレイトデジタル値Yrdigiを表すデジタル信号）をソフトＬＰＦで更にローパスフィルタ処理した後のデジタル信号（実ヨーレイトソフトＬＰＦ通過デジタル値Yrsfildigiを表すデジタル信号）を用いてＯＳ−ＵＳ制御を実行する（上記(3)式、図５のステップ５３５、図６のステップ６２５、６４０を参照）。
【０１０６】
ここで、上記ハードＬＰＦは、車両の運動制御に使用されるべき周波数帯域（制御信号域）の上限値f1よりも高い値f2をカットオフ周波数とするとともに、サンプリング周波数fsampleの１／２以上の周波数帯域のノイズ成分を「除去」する特性を有している。また、上記ソフトＬＰＦは、上記車両の運動制御に使用されるべき周波数帯域の上限値f1をカットオフ周波数とする減衰特性の大きい特性を有している。
【０１０７】
従って、ハードＬＰＦにより、ＡＤ変換前のアナログ信号（Yrhfilana）からサンプリング周波数fsampleの１／２を超える周波数成分を「除去」することができ、上記問題点１、及び問題点２が解消され得る。加えて、減衰特性の大きいソフトＬＰＦにより、ヨーレイトセンサ６４の出力信号における車両の運動制御に使用されるべき信号成分（即ち、制御信号域内（周波数が値f1以下）の信号成分）と、振動ノイズ成分（周波数が値f1より大きい信号成分）とを明確に分けることができる。従って、ＨＵ４０の振動に起因する振動ノイズが効果的に除去された後のヨーレイトセンサ出力に基づいてＯＳ−ＵＳ抑制制御が適切に実行され得る。
【０１０８】
更には、統合ユニットＩの車体に対する共振周波数fcが上記値f2より大きい値（即ち、上記ソフトＬＰＦにより「除去」され得る信号成分の周波数帯域内）となるように設計されたブラケットＢＲとマウントＭＴ（からなる弾性構造体）を介して、統合ユニットＩは車体に固定されている。
【０１０９】
これにより、上記共振周波数fc近傍の周波数で車体側が振動することにより同車体側の振動が統合ユニットＩ側（従って、ヨーレイトセンサ６４）に共振により増幅されて伝達されても、ＯＳ−ＵＳ抑制制御に使用される信号である実ヨーレイトソフトＬＰＦ通過デジタル値Yrsfildigiを表すデジタル信号において係る共振に起因して増幅される振動ノイズ成分が重畳することがない。よって、振動ノイズがより一層効果的に除去された後のヨーレイトセンサ出力に基づいてＯＳ−ＵＳ抑制制御が実行され得る。
【０１１０】
本発明は上記実施形態に限定されることはなく、本発明の範囲内において種々の変形例を採用することができる。例えば、上記実施形態においては、ハードＬＰＦは、サンプリング周波数fsampleの１／２以上の周波数帯域のノイズ成分を「除去」する特性（即ち、ハードＬＰＦで「除去」される信号成分の周波数帯域の下限値がサンプリング周波数fsampleの１／２となる特性）を有しているが、ハードＬＰＦは、サンプリング周波数fsampleの１／２より小さい或る値以上の周波数帯域のノイズ成分を「除去」する特性（即ち、ハードＬＰＦで「除去」される信号成分の周波数帯域の下限値がサンプリング周波数fsampleの１／２より小さい或る値となる特性）を有していても良い。
【０１１１】
また、上記実施形態においては、ハードＬＰＦのカットオフ周波数は、値f2（即ち、ソフトＬＰＦで「除去」される信号成分の周波数帯域の下限値）と等しい値となっているが、値f2と異なる値（であって、値f1より大きい値）であってもよい。
【０１１２】
また、上記実施形態においては、ＨＵ４０（液圧ユニット）に内蔵された車両挙動センサの例としてヨーレイトセンサ６４が使用されているが、ＨＵ４０（液圧ユニット）に内蔵された車両挙動センサとして横加速度センサが使用されてもよい。
【０１１３】
また、上記実施形態においては、ＨＵ４０（液圧ユニット）とＥＣＵ５０（電気制御装置）とが一体化された統合ユニットＩに車両挙動センサ（ヨーレイトセンサ６４）が内蔵されているが、車両挙動センサが内蔵された液圧ユニットと、電気制御装置とが別体であってもよい。
【０１１４】
また、上記実施形態においては、上記ハードＬＰＦ、及び上記ソフトＬＰＦを通過した後のヨーレイトセンサ出力に基づいてＯＳ−ＵＳ抑制制御が実行されるようになっているが、これらに加えて、或いは、これらに代えて、その他の制御（例えば、横転防止制御）が実行されてもよい。
【図面の簡単な説明】
【０１１５】
【図１】本発明の実施形態に係る車両挙動センサ信号のフィルタ処理装置（車両の運動制御装置）を搭載した車両の概略構成図である。
【図２】図１に示した統合ユニットがブラケットとマウントからなる弾性構造体を介して車体に固定されている様子を示した模式図である。
【図３】ヨーレイトセンサの出力信号に対するローパスフィルタ処理の流れを示した図である。
【図４】ハードＬＰＦとソフトＬＰＦについてのそれぞれの周波数−ゲイン特性を示した図である。
【図５】図１に示したＣＰＵが実行する車輪速度等を算出するためのルーチンを示したフローチャートである。
【図６】図１に示したＣＰＵが実行するＯＳ−ＵＳ抑制制御用の目標液圧を設定するためのルーチンを示したフローチャートである。
【図７】図１に示したＣＰＵが実行するＯＳ−ＵＳ抑制制御を行うためのルーチンを示したフローチャートである。
【図８】図１に示したＣＰＵが参照するヨーレイト偏差と制御量との関係を規定するテーブルを示したグラフである。
【符号の説明】
【０１１６】
１０…車両の運動制御装置、３０…ブレーキ液圧発生部、４０…ハイドロリックユニット、５０…電気制御装置、５１…ＣＰＵ、５２…ＲＯＭ（ソフトＬＰＦ）、５５…インターフェース（ハードＬＰＦ）、６１**…車輪速度センサ、６３…ステアリング角度センサ、６４…ヨーレイトセンサ
【図１】
2006213261.tif 000003
【図２】
2006213261.tif 000004
【図３】
2006213261.tif 000005
【図４】
2006213261.tif 000006
【図５】
2006213261.tif 000007
【図６】
2006213261.tif 000008
【図７】
2006213261.tif 000009
【図８】
2006213261.tif 000010